(57)【特許請求の範囲】
【請求項１】
内燃機関用のエンジンマウントの取付構造であって、
前記取付構造が、軸線を有する、エンジンマウント取付用の取付部品と、内燃機関取付用のブラケットと、を含み、
前記ブラケットが、前記軸線と平行な方向に前記取付部品を収容するように配置され、
前記ブラケットは、前記ブラケットに前記取付部品を保持させるかまたは前記ブラケットから前記取付部品を解放させるように操作可能な機構を含み、
前記機構は、前記取付部品が前記ブラケットに収容される方向に対して垂直な方向に沿って、前記機構の操作のために作業員が前記機構にアクセス可能である、取付構造。
【請求項２】
前記取付部品は、円筒形の部分を有し、
前記円筒形の部分は、前記取付部品が前記エンジンマウントにはめ込まれたとき、前記円筒形の部分の操作のために作業員が当該円筒形の部分にアクセス可能であり、
前記取付部品の前記軸線は、前記円筒形の部分の軸線である、請求項１に記載の取付構造。
【請求項３】
前記取付部品がスピゴットである、請求項１または２に記載の取付構造。
【請求項４】
前記スピゴットは、当該スピゴットを形成するカラーと、当該カラーを通って伸びる締結具とを含む、請求項３に記載の取付構造。
【請求項５】
前記ブラケットに前記取付部品を保持させるかまたは前記ブラケットから前記取付部品を解放させるように操作可能な前記機構がクランプである、請求項１から４の何れか１項に記載の取付構造。
【請求項６】
前記クランプが、
前記ブラケットの一部を貫通して形成された開口と、
前記開口から前記ブラケットのエッジまで伸びるギャップと、
前記ブラケットに前記ギャップの両側で共に作用し、これによって前記開口のサイズを減じる機構と、を含む、請求項５に記載の取付構造。
【請求項７】
前記開口が円形の断面を有する、請求項６に記載の取付構造。
【請求項８】
前記ブラケットに前記開口の両側で共に作用し、これによって前記開口のサイズを減じる前記機構が締結具である、請求項６または７に記載の取付構造。
【請求項９】
前記締結具がボルトである、請求項８に記載の取付構造。
【請求項１０】
前記締結具が前記ブラケットの孔に配置される、請求項８または９に記載の取付構造。
【請求項１１】
前記孔が、前記取付部品が前記ブラケットに収容される方向に対して直角に伸びる、請求項１０に記載の取付構造。
【請求項１２】
内燃機関と、請求項１から１１までの何れか１項に記載の取付構造と、を含む装置であって、前記ブラケットが前記内燃機関に取り付けられ、前記取付部品が前記エンジンマウントにはめ込まれ、前記ブラケットによって収容されて保持される装置。
【請求項１３】
前記エンジンマウントが自動車に取り付けられる、請求項１２に記載の装置を含む自動車。
【請求項１４】
前記エンジンが、前記エンジンマウントに上からアクセスさせない構造を含む、請求項１３に記載の自動車。
【請求項１５】
請求項１４に記載の自動車からエンジンマウントを取り外す方法であって、
ａ．  前記ブラケットから前記取付部品を解放するように操作可能な前記ブラケットの前記機構に一側からアクセスする工程と；
ｂ．  前記自動車の構造から前記エンジンマウントを解放する工程と；
ｃ．  前記エンジンマウントを前記エンジンから離れるように下げ、前記ブラケットからそれを取り外す工程と、を含む方法。
【発明の詳細な説明】
【技術分野】
【０００１】
本発明は、エンジンマウントの取付構造と、エンジンマウントの取外し方法に関する。本発明は特に、自動車の内燃機関（internal combustion engine）の取付構造に関する。
【背景技術】
【０００２】
市場と規制が求める、自動車の精巧さと性能の高度化は、自動車において、より高度で、より大きく、より強力な内燃機関と、より多くの補助装置を装備することにつながる。エンジンと補助装置は限られたスペースに収容される必要があるので、自動車のエンジンルームが益々過密になり、パッケージング上の重大な問題を引き起こしている。
【０００３】
自動車の内燃機関は、エンジンから自動車の構造へのノイズ、振動や耳障りな音の伝達を制限し、エンジンを支持するエンジンマウントを介して、自動車に取り付けられる。エンジンマウントの特徴は、使用中に調整可能であること、たとえば、アイドリング中は、自動車からエンジンを防振するのに適切な柔軟なセッティングであり、自動車運転中は、エンジンのよりよい制御を提供するより硬いセッティングである。
【０００４】
この特徴が精巧さを増した結果として、エンジンマウントは、自動車の耐用期間中に交換、すなわち調整または修理のために取り外され交換されることが意図される、いわゆる、修理サービスアイテムになった。その結果として、エンジンマウントを容易に取り外して交換できることが望ましい。
【０００５】
従来の装置において、複数の直角ブラケットが自動車エンジンブロックの側面にはめ込まれ、ブラケットを水平に通りブロックの孔へ至る複数のボルトによって固定されている。各ブラケットは、エンジンブロックから一般に水平に離れて突き出ており、それぞれのエンジンマウントに支持されている。ボルトが、各ブラケットの開口を通って下方へ伸びて、エンジンマウントのねじ式開口または取付部品に収容され、これによってブラケットをエンジンマウントに固定する。次いで、各エンジンマウントは、自動車の構造にはめ込まれた、典型的にはエンジンルームの構造部品またはサブフレームにはめ込まれたブラケットによって支持されている。
【発明の概要】
【発明が解決しようとする課題】
【０００６】
この装置に関する問題は、エンジンマウントを取り外すのに、エンジンマウント上のボルトにアクセスし、そのネジを抜く必要が生じることである。エンジンマウントは一般に、エンジンの底部の方に位置するため、エンジンが自動車の過密なエンジンルームにはめ込まれた状態では、ボルトに到達するのはしばしば困難かまたは不可能である。これは幅の広いＶ型およびＷ型エンジンでは特に問題であり、結果として、エンジンマウントを取り外すのに、エンジンを取り外し、および／または部分的にエンジンを分解する必要がある。
【０００７】
本発明の実施の形態は、この問題を考慮して成されている。
【課題を解決するための手段】
【０００８】
本発明の一態様は、内燃機関用エンジンマウントの取付構造であって、前記取付構造が、エンジンマウント取付用の軸を有する取付部品と、内燃機関取付用ブラケットと、を含み、前記ブラケットが、前記軸と実質的に平行な方向に前記取付部品を収容するように配置され、前記ブラケットに前記取付部品を保持させるかまたは前記ブラケットから前記取付部品を解放させるように操作可能な機構を含み、前記取付部品が前記ブラケットに収容される方向に対して実質的に垂直な方向に沿って前記機構がアクセス可能である。
【０００９】
これによって、（従来のエンジンマウント装置の場合と同様に）取付部品を取り外してブラケットからエンジンマウントを解放するために、取付部品にアプローチする必要がある方向に対して一般に直角の方向からブラケットにアプローチし、ブラケットから取付部品を解放することにより、ブラケットからエンジンマウントを解放することができる。したがって、これによって、取付部品にアクセスし取付部品を取り外すことが不可能な状況において、ブラケットからエンジンマウントを解放することができ、結果として、エンジンからエンジンマウントを解放することができる。
【００１０】
前記取付部品がエンジンマウントにはめ込まれたとき、前記取付部品がアクセス可能な実質的に円筒形の部分を有してもよい。前記取付部品の前記軸が前記円筒形の部分の軸であってもよい。前記取付部品がスピゴットであってもよく、カラーを通って伸びる締結具であってもよい。
【００１１】
前記ブラケットに前記取付部品を保持または前記ブラケットから前記取付部品を解放させるように操作可能な前記機構がクランプであってもよい。前記クランプが、前記ブラケットの一部を通って形成された開口と、前記開口から前記ブラケットのエッジまで伸びるギャップと、前記ブラケットに前記ギャップの両側で共に作用し、これによって前記開口のサイズを減じる機構と、を含んでもよい。前記開口が一般に円形の断面を有してもよい。前記ブラケットに前記開口の両側で共に作用する機構が締結具であってもよく、ボルトであってもよい。前記締結具が前記ブラケットの孔に配置されてもよい。前記孔が、前記取付部品が前記ブラケットに収容される方向に対して実質的に直角に伸びてもよい。
【００１２】
また、本発明の他の態様は、内燃機関と、上記取付構造と、を含む装置であって、前記ブラケットが前記内燃機関に取り付けられ、前記取付部品が前記エンジンマウントにはめ込まれ、前記ブラケットによって収容されて保持される装置を提供する。また、本発明の他の態様は、前記エンジンマウントが自動車に取り付けられる、上記装置を含む自動車を提供し、前記エンジンが、前記エンジンマウントに上からアクセスさせない構造を含んでもよい。
【００１３】
また、本発明の他の態様は、自動車からエンジンマウントを取り外す方法であって、前記ブラケットから前記取付部品を解放するように操作可能な前記ブラケットの前記機構に一側からアクセスする工程と；前記自動車の構造から前記エンジンマウントを解放する工程と；前記エンジンマウントを前記エンジンから離れるように下げ、前記ブラケットからそれを取り外す工程と、を含んでいる。
【００１４】
以下、本発明がよりよく理解されるように、添付図面を参照して例示のみを目的としてその実施の形態を記述する。
【図面の簡単な説明】
【００１５】
【図１】図１は、自動車の従来のエンジンマウント装置の部分的な斜視図である。
【図２】図２は、図１の装置を別の方向から見た部分的な斜視図であり、エンジンブロックは示されていない。
【図３】図３は、図１のエンジンマウントの組み込みに必要な工程を示した図である。
【図４】図４ａ〜図４ｄは、本発明の装置のエンジンマウントをブラケットにはめ込む工程の斜視図であり、図４ｅは、図４ｃと図４ｄに示されたブラケットの部分平面図である。
【図５】図５は、本発明のエンジンマウントの斜視図である。
【図６】図６は、図５のエンジンマウントを取り外す工程の図である。
【発明を実施するための形態】
【００１６】
以下の実施の形態においては、最上部、底部、側面およびこれらと同類の用語が、図面に示される位置関係、すなわち使用が意図される位置関係において装置に言及するために使用されるが、他の実施の形態の限定として取られるべきではない。
【００１７】
図１〜３を参照すると、従来の装置において、内燃機関が、自動車のエンジンルームで複数（図では１つ）の金属直角ブラケット１によって支持されている。各ブラケット１は、ブラケットの開口５からブロック２の孔を通る、４本のボルト３または他の適切な締結具によって、エンジンのブロック２に取り付けられている。ブラケットにおける開口５はすべて短い孔を画定し、これらの孔の軸は実質的に平行で、自動車が水平面上にあるとき、一般に水平な方向に伸びている。
【００１８】
各ブラケット１は、このブラケットがエンジンブロック２に固定されるとき、エンジンブロックから離れて突出する、突出直角部６を含んでいる。この部分の自由端は、（乗り物が水平面上にあるとき）一般に垂直の軸を有する短い孔を画定する、実質的に円形の開口７を画定する板構造を含んでいる。ボルト８はこの開口７を通ってエンジンマウント９へと下方に伸び、エンジンマウント９は適切なブラケットを介して自動車に取り付けられている。
【００１９】
図示する装置において、エンジンマウント９は、エンジンブロック２にはめ込まれたとき、ボルト８のヘッドへのアクセスを妨げるエンジンマニホールドおよびターボチャージャー装置１０の下に位置している。
【００２０】
したがって、図３に示すように、従来の取付シーケンスでは、第一にブラケット１をエンジンマウント９にボルト８で留め、次いでブラケット１をエンジンブロックにボルト３で留め、次いでマニホールドとターボチャージャーアセンブリ１０をエンジンブロックにはめ込む。その結果、エンジンルームにエンジンを組み込むことができ、エンジンマウント９がブラケットを介して自動車の構造に適切に固定される。
【００２１】
したがって、修理または交換のためにエンジンマウント９を取り外すときには、車両からエンジンを取り外し、それを部分的に分解する必要があり、不便で時間がかっている。
【００２２】
一方、図４〜図６に示すように、本発明は他のブラケット１１を提供している。このブラケット１１は、従来のブラケット１の開口５と同様の開口１２を含み、ボルト１３でエンジンブロックに取り付け可能である。また、ブラケット１１は実質的に円形の開口１４を画定する板構造１７を含み、この開口１４が、開口１２によって画定される孔に対して一般に直角の軸を有する短い孔を画定し、使用中に開口１４の軸は一般に垂直である。しかしながら、ブラケット１１は、板構造から材料の細片が切り取られ、開口１４から板構造のエッジに伸びる一般に平行な面のギャップ１５となっている点で、従来のブラケット１とは異なっている。孔１６は板構造の他の外側エッジからギャップ１５へと延び、このエッジは、ギャップ１５が形成されているエッジに対してほぼ直角にギャップ１５へと伸び、ギャップ１５の反対側の内部ねじ式孔へと続いている。
【００２３】
ボルト１８が孔１６に導入され、ギャップ１５の両側で板構造の部分を引き寄せるために締め付けられ、開口１４のサイズを僅かに減じることができる。
【００２４】
この改良ブラケットの使用に関して、ボルト８が、円筒状のカラー１９を通って、エンジンマウント９の最上部に通される。このボルトによりカラー１９がエンジンマウント９に固定される。このカラー１９は、エンジンマウント９上にスピゴットを形成する、実質的に円筒状の外表面を有している。カラー１９がブラケット１１の開口１４にぴったり入るように、カラー１９のサイズが合わせられ、ブラケット１１にボルト１８が挿入され、締め付けられ、カラー１９を、つまりエンジンマウント９をブラケット１１に対してクランプできる。
【００２５】
これによって、エンジンマウント９をはめ込むことができ、ボルト８を取り外さなくても、ブラケット１１から取り外すことができる。目的とする装置では、エンジンマウント９の側面からボルト１８にアクセスできるが、図１および図２に示すように、ボルト８にはアクセスできない。
【００２６】
したがって、既存の装置とは対照的に、エンジンを取り外したり分解したりしなくても、エンジンマウントを取り外すことができる。図６に示すように、単にボルト１８を緩めるかまたは取り外しさえすれば、カラー１９をブラケット１１から取り外すことができる。次いで、エンジンマウント９が自動車の構造から分離されたら、それを取り外すことができる。逆の手順で、エンジンマウントを再度はめ込んだり、取替品のエンジンマウントをはめ込んだりできる。如何なる修正もエンジンマウント９に行われていない。
【００２７】
上記実施の形態は例示として記述されたものであり、添付のクレームで限定される発明の範囲から逸脱しない範囲で多くの変形例が可能である。
【図１】
0006759105.tif 000002
【図２】
0006759105.tif 000003
【図３】
0006759105.tif 000004
【図４ａ−４ｅ】
0006759105.tif 000005
【図５】
0006759105.tif 000006
【図６】
0006759105.tif 000007